(57)【要約】【課題】  軽量で嵩張ることのない眼鏡および眼鏡の装着保持方法を提供する。【解決手段】  連繋部３で繋がれた左右のレンズ２、２の内側対向縁に鼻当てパッド部４、４が設けられた蔓なし眼鏡１と、顔面の鼻柱上部からその両側にわたる部分に剥離自在な皮膚保護皮膜を形成する皮膚保護皮膜材料５と、蔓なし眼鏡１を鼻当てパッド部４、４をもって皮膚保護皮膜材料５により形成された皮膚保護皮膜を介して鼻柱上部の両側に接着する接着材料６とよりなる眼鏡。また、顔面の鼻柱上部からその両側にわたる所要部分に皮膚保護皮膜材料を塗布して透明または肌色の皮膚保護皮膜を形成し、これに蔓なし眼鏡の鼻当てパッド部を粘着性のある接着材料を介在させて押圧して顔面の所定位置に装着保持させる眼鏡の装着保持方法。【選択図】    図１
2005321468.tif 000002
【特許請求の範囲】
【請求項１】
連繋部で繋がれた左右のレンズの内側対向縁に鼻当てパッド部が設けられた蔓なし眼鏡と、顔面の鼻柱上部からその両側にわたる部分に剥離自在な皮膚保護皮膜を形成する皮膚保護皮膜材料と、前記した蔓なし眼鏡を鼻当てパッド部をもって前記した皮膚保護皮膜材料により形成された皮膚保護皮膜を介して鼻柱上部の両側に接着する接着材料とより、鼻柱上部からその両側にわたる部分に皮膚保護皮膜材料によって形成された皮膚保護皮膜に対して蔓なし眼鏡を前記した鼻当てパッド部をもって接着保持させるようにしたことを特徴とする眼鏡。
【請求項２】
左右のレンズが、大きさを左右の眼の輪郭大と略同大とする無枠の合成樹脂製小型レンズである請求項１に記載の眼鏡。
【請求項３】
連繋部と左右のレンズと鼻当てパッド部とが別部材である請求項１または２に記載の眼鏡。
【請求項４】
連繋部と左右のレンズと鼻当てパッド部とが一体成形されている請求項１または２に記載の眼鏡。
【請求項５】
鼻当てパッド部が連繋部に対して角度調整自在とされている請求項１または２または３に記載の眼鏡。
【請求項６】
顔面の鼻柱上部からその両側にわたる所要部分に皮膚保護皮膜材料を塗布して透明または肌色の皮膚保護皮膜を形成しておき、連繋部で繋がれた左右のレンズの内側対向縁に鼻当てパッド部を設けた蔓なし眼鏡を、鼻当てパッド部と皮膚保護皮膜との間に粘着性のある接着材料を介在させて押圧することにより、蔓なし眼鏡を鼻当てパッド部をもって顔面の所定位置に装着保持させることを特徴とする眼鏡の装着保持方法。
【請求項７】
皮膚保護皮膜形成材料が、化粧用パック剤である請求項６に記載の眼鏡の装着保持方法。
【発明の詳細な説明】
【技術分野】
【０００１】
本発明は、嵩張ることのない軽量の眼鏡に関するものである。
【背景技術】
【０００２】
従来の眼鏡は、連繋部で繋がれた左右のレンズフレームまたはレンズの対向内側縁に鼻当てパッド部を設けるとともに外側縁に蔓を取り付けたものを普通とするため、重くて嵩張り、使用上不便なものであった。そこで、蔓を無くした蔓なし眼鏡も提案されているが、従来の蔓なし眼鏡は、鼻当てパッド部の鼻当て面にシリコン樹脂などの摩擦抵抗の大きい層を設けて滑り難くしたり、鼻当てパッド部間にばね性を持たせて鼻柱上部を弾発挟持させるようにしたものであって、短時間の装着はできても、保持力が乏しいために長時間にわたり装着し続けることはできず、また、運動時などの動きの激しい者の使用には到底耐えられないものであった。
【特許文献１】実開昭６３−２９１１８号公報
【発明の開示】
【発明が解決しようとする課題】
【０００３】
本発明が解決しようとする問題点は、保持力が強くて長時間にわたる連続使用や、動きの激しい者の使用に耐えることのできる軽くて嵩張ることのない眼鏡を提供することにある。
【課題を解決するための手段】
【０００４】
上記の課題を解決した本発明は、連繋部で繋がれた左右のレンズの内側対向縁に鼻当てパッド部が設けられた蔓なし眼鏡と、顔面の鼻柱上部からその両側にわたる部分に剥離自在な皮膚保護皮膜を形成する皮膚保護皮膜材料と、前記した蔓なし眼鏡を鼻当てパッド部をもって前記した皮膚保護皮膜材料により形成された皮膚保護皮膜を介して鼻柱上部の両側に接着する接着材料とより、鼻柱上部からその両側にわたる部分に皮膚保護皮膜材料によって形成された皮膚保護皮膜に対して蔓なし眼鏡を前記した鼻当てパッド部をもって接着保持させるようにしたことを特徴とする眼鏡を請求項１の発明とする。なお、前記したような眼鏡においては、左右のレンズを、大きさが左右の眼の輪郭大と略同大とする無枠の合成樹脂製小型レンズとしてより軽量化することもでき、これを請求項２の発明とする。また、前記した各発明における蔓なし眼鏡は、連繋部と左右のレンズと鼻当てパッド部とを別部材としても、連繋部と左右のレンズと鼻当てパッド部とが一体成形されたものとしてもよく、これらを請求項３および請求項４の発明とする。さらに、前記した請求項１〜３のいずれかに記載した発明においては、鼻当てパッド部を連繋部に対して角度調整自在として使用者の顔形に一層フィットするようにしておくことが好ましく、これを請求項５の発明とする。さらにまた、前記したような眼鏡は、顔面の鼻柱上部からその両側にわたる所要部分に皮膚保護皮膜材料を塗布して透明または肌色の皮膚保護皮膜を形成しておき、連繋部で繋がれた左右のレンズの内側対向縁に鼻当てパッド部を設けた蔓なし眼鏡を、鼻当てパッド部と皮膚保護皮膜との間に粘着性のある接着材料を介在させて押圧することにより、蔓なし眼鏡を鼻当てパッド部をもって顔面の所定位置に装着保持させるようにして装着するのが一般的であり、このような眼鏡の装着保持方法を請求項６の発明とする。そして、このような請求項６の発明に用いる皮膚保護皮膜形成材料としては、顔面に対して優しい化粧品として市販の剥がしタイプの化粧用パック剤が美肌上好ましく、これを請求項７の発明とする。
【発明の効果】
【０００５】
前記した本発明の眼鏡は、本体が連繋部で繋がれた左右のレンズの内側対向縁に鼻当てパッド部が設けられただけの蔓なし眼鏡であるから、軽量なうえ嵩張ることがない。また、装着する時は、前記したような蔓なし眼鏡と組み合わせられている皮膚保護皮膜材料を用いて顔面の鼻柱上部からその両側にわたる相当部分に剥離自在な皮膚保護皮膜を形成し、前記した蔓なし眼鏡の鼻当てパッド部を、この皮膚保護皮膜が形成されている鼻柱上部の両側の所要部分に粘着テープなどの接着材料をもって接着保持させれば、蔓なし眼鏡は簡単に装着保持させることができるが、接着材料による接着であるにもかかわらず、この接着材料が直接皮膚に触れることがなく、剥離自在な皮膚保護皮膜を介しての接着であるから、接着力の大きい接着材料を用いても皮膚保護皮膜の皮膚保護作用で皮膚が接着材料に含まれる溶剤などにより侵されることがなく、長時間にわたる連続した装着や、運動選手その他動きの激しい者の着用にも耐えるものとなる。          
【０００６】
また、本発明の装着方法は、顔面の鼻柱上部からその両側にわたる所要部分に皮膚保護皮膜材料を塗布して透明または肌色の皮膚保護皮膜を形成しておき、連繋部で繋がれた左右のレンズの内側対向縁に鼻当てパッド部を設けた蔓なし眼鏡を、鼻当てパッド部と皮膚保護皮膜との間に粘着性のある接着材料を介在させて押圧することにより、蔓なし眼鏡を鼻当てパッド部をもって顔面の所定位置に装着保持させるようにしたので、皮膚保護皮膜材料を鏡を見ながら塗布するだけで目障りとならないように透明または肌色の皮膚保護皮膜を形成することができる。
【０００７】
なお、請求項２の発明は、左右のレンズを大きさが左右の眼の輪郭大と略同大の無枠の合成樹脂製小型レンズとしたので、一層軽量化ができるうえに、眼鏡の着用が目立たないのでファッション性のうえからも好ましいものとなる。さらに、請求項３の発明は、連繋部と左右のレンズと鼻当てパッド部とを別部材としてこれらを一体に組み立てたものであるから、各部材毎に適当な材料や色を選ぶことができることとなり、一方、請求項４の発明は、連繋部と左右のレンズと鼻当てパッド部とを一体成形したものとしたので、安価に量産できて簡易サングラスなどに好適なものとなる。さらにまた、請求項５の発明は、鼻当てパッド部を連繋部に対して角度調整自在としたので、鼻当てパッドの鼻当て面を使用者の顔形に応じた角度に調節して接着強度および使用感をよくすることができて特に好ましい。一方、請求項７の発明は、本発明方法に用いる皮膚保護皮膜材料として、皮膚に優しい粘着力及び皮膚に付き易い性質を有し、且つ、簡単に入手できるうえに、化粧品として普及されている市販の剥がしタイプの化粧用パック剤を用いたので、安全性が高くて美肌上も好ましいものとなる。
【発明を実施するための最良の形態】
【０００８】
次に、本発明方法を図１、図２に示した第１例、および図３に示した第２例に基づいて詳細に説明する。
図１に示した第１例において、１は老眼用、近眼用など任意の用途に用いる蔓なし眼鏡である。この蔓なし眼鏡１は、フレーム無しのプラスチック製の左右のレンズ２、２をその対向内側縁においてチタンなどの軽金属やポリアセタール樹脂などのプラスチックその他任意の軽量材料よりなる連繋部３で繋いでこれに鼻当てパッド部４、４を取付けたものであるが、左右のレンズ２、２の大きさを大人の眼の輪郭大程度としておけば、ファッション性のうえからも興趣深いものとなる。また、前記した鼻当てパッド部４、４は連繋部３に対して角度調整自在に取付けられたものとしておけば、着用者各人にフィットするのでより好ましいことは勿論である。      
【０００９】
５は顔面の鼻柱上部からその両側にわたる相当部分に剥離自在な皮膚保護皮膜を形成するための皮膚保護皮膜材料である。この皮膚保護皮膜材料５として第１例では、市販のチューブ入りの剥がしタイプの化粧用パック剤（例えば、商品名カネボウエビータ  モイスチャーパックーはがすタイプ  カネボウ株式会社製）を用いている。６は前記した蔓なし眼鏡１を鼻当てパッド部４、４をもって前記した皮膚保護皮膜材料５により形成された皮膚保護皮膜を介して鼻柱上部の両側に接着する接着材料であって、第１例における接着材料６としては、鼻当てパッド部４の鼻当て面の形状と略同じ形状のベース材６ａの両面に粘着剤６ｂ、６ｂを塗布してその表面を剥離紙６ｃ、６ｃで覆った一対の両面テープとしている。
【００１０】
このような蔓なし眼鏡１を装着するには、先ず、洗顔したうえ、顔面の鼻柱上部からその両側にわたる所要部分に図１に示したような皮膚保護皮膜材料５としての化粧用パック剤をこれが充填されているチューブより適量取り出して薄く塗布し、これを乾燥させることにより、図３に示すような透明または肌色の皮膚保護皮膜を形成する。続いて、接着材料６としての両面テープを取り出し、そのベース材６ａの片面に塗布されている一方の粘着剤６ｂが露呈されるようにこれを覆っている一方の剥離紙６ｃを剥がして露呈された粘着剤６ｂにより両面テープを蔓なし眼鏡１の鼻当てパッド部４に接着させ、次に、この鼻当てパッド部４に接着させた両面テープのベース材６ａに塗布されている他方の粘着剤６ｂが鼻当てパッド部４の表側に露呈されるようにこれを覆っている他方の剥離紙６ｃを剥がし、この鼻当てパッド部４、４を先に顔面の鼻柱上部からその両側にわたる所要部分に形成しておいた前記した皮膚保護皮膜を介して鼻柱上部の両側に押圧すれバ、蔓なし眼鏡１はその鼻当てパッド部４、４をもって顔面の所定位置に装着保持される。
【００１１】
一方、図３に示した第２例は、簡易サングラスとした場合で、この第２例においては、蔓なし眼鏡１はプラスチック製の左右のレンズ２、２と連繋部３と鼻当てパッド部４、４とがプラスチック製の左右のレンズ２、２とともに一体成形されたものとし、また、皮膚保護皮膜材料５は、鼻柱上部から眼下にわたる相当部分に貼着できる程度の大きさの透明なプラスチックフィルム５ａの片面に絆創膏や貼布薬の粘着剤として用いられている耐アレルギー性を配慮した周知の天然ゴム系或いはアクリル系の粘着剤５ｂを層着したうえ剥離紙５ｃで覆ったシート状材料としており、さらに、接着材料６としては、前記したプラスチックフィルム５ａの反対面の所要箇所に粘着剤６ｂを鼻当てパッド部４の鼻当て面と略同じ形状に塗布してその表面を剥離紙６ｃで覆ったものとしている。
【００１２】
このような蔓なし眼鏡１を装着するには、先ず、皮膚保護皮膜材料５の前記したプラスチックフィルム５ａの片面の粘着剤５ｂが露呈されるようにこの粘着剤５ｂを覆っている剥離紙５ｃを剥がしてこのプラスチックフィルム５ａを顔面の鼻柱上部からその両側にわたる所要部分に貼り付けて前記第１例の場合と同様、図２に示すように皮膚保護皮膜を形成する。次に、このプラスチックフィルム５ａの反対面に層着されている粘着剤６ｂが露呈されるようにこの粘着剤６ｂを覆っている剥離紙６ｃを剥がし、この粘着剤６ｂに利用して顔面の鼻柱上部からその両側にわたる所要部分に鼻当てパッド部４、４を当てて蔓なし眼鏡１を押圧すれば、蔓なし眼鏡１をその鼻当てパッド部４、４をもってプラスチックフィルム５ａよりなる皮膚保護皮膜を介して鼻柱上部の両側の所定位置に装着保持させることができる。
このようにして装着された蔓なし眼鏡は、長時間にわたる装着や、運動選手その他動きの激しい者の着用にも耐える接着強度を有するものとなり、しかも、剥離自在な皮膚保護皮膜を形成する皮膚保護皮膜材料の皮膚に優しい粘着力及び皮膚に付き易い性質を利用していて直接接着材料が皮膚に触れることがないようにしたので、この皮膚保護皮膜の皮膚保護作用で皮膚が接着材料に含まれる溶剤などにより侵されることがなくて安全性のうえからも好ましいものである。
【図面の簡単な説明】
【００１３】
【図１】本発明の第１例を説明するための一部切欠斜視図である。
【図２】鼻柱上部からその両側にわたる部分に皮膚保護皮膜を形成してこれに蔓なし眼鏡を鼻当てパッド部をもって接着保持させる直前状態の説明図である。
【図３】本発明の第２例を説明するための一部切欠斜視図である。
【符号の説明】
【００１４】
１  蔓なし眼鏡
２  レンズ
３  連繋部
４  鼻当てパッド部
５  皮膚保護皮膜材料  
６  接着材料
【図１】
2005321468.tif 000003
【図２】
2005321468.tif 000004
【図３】
2005321468.tif 000005